(57)【要約】【課題】  携帯電話機の充電器は、機種によってコネクターの形状やピンの位置が異なるため、それぞれの機種に対応した充電器が必要となっている。このため他機種の携帯電話機を持っている場合はそれぞれの充電器を保持することとなり不便きわまりない。【解決手段】  充電器の先端上面にコネクター収納部を設け、コネクターを上方から取出して交換可能とし、収納部奥に充電回路ＯＮ，ＯＦＦ用のスイッチを設けて各種のコネクターに対応させると共に、収納部内でコネクターを反転可能とすることによって、コネクターを充電器内に収納して携帯を便利にした充電器を提供する。【選択図】  図１
2007330041.tif 000002
【特許請求の範囲】
【請求項１】
携帯電話機用充填器Ａの先端上面部に接続用のコネクターＢが２個縦列して収納できる程度の収納部を設け、該収納部でコネクターＢを反転しうるようにボールプランジャを軸として支承し、該ボールプランジャには充電回路を接続すること、コネクターＢは収納部から上方に取出して交換可能とすること、コネクターＢ側面に係合用の爪を設けると共に収納部内壁に前記爪案内溝を設けること、コネクターＢ収納部奥に充電回路ＯＮ，ＯＦＦ用のスイッチを設けることを特徴とした携帯電話機用充電器。
【請求項２】
携帯電話機用充電器Ａの先端に蓋を設けて接続用のコネクターＢを着脱自在に設ける充電器Ａであって、該蓋はヒンジ構造の軸によって取付けられ、蓋の回動によってロック機構の押当て板を作動させること、この押当て板の作動によって充電回路の接続端子のＯＮ，ＯＦＦ作用を図ると共に、この作動によってコネクターＢの位置決め保持を確実にすることを特徴とした携帯電話機用充電器。
【発明の詳細な説明】
【技術分野】
【０００１】
本発明は携帯電話機用充電器のコネクター取付部分の構造に関する。
【背景技術】
【０００２】
従来携帯電話機の充電器は、携帯電話の機種によってコネクターの形状やピンの位置が異るため、例えばＡ社の電話機に対してはＢ社のコネクターが使用できず、それぞれの機種に対応した充電器が必要となっている。
したがって他機種の携帯電話機を持っている場合にはそれぞれの機種の充電器を保有することとなって不便きわまりない。これによって他機種のコネクターも使用できる充電器も開発はされている。
【０００３】
例えばＡ社の充電器に対してＢ社のコネクターを重ねて接続して使用することや、また数社のコネクターを充電器に収納して、その都度これに合致するコネクターを取出して接続することも考えられている。しかし前者の場合には、コネクターを重ねるため蓋のある充電器の場合は蓋が閉らず、かさばるばかりか、蓋が開いたままなのでホコリ等が進入し
て電極の接触を悪くするばかりか、接合が不安定なため充電ができない不具合が生じる。
【特許文献１】特開２００５−３３３７６０号公報
【特許文献２】特開２００６−２５５３２号公報
【発明の開示】
【発明が解決しようとする課題】
【０００４】
本発明は、このような従来の携帯電話機の充電器に係る諸問題を解決するために開発したものであって、コネクター部分を抜差交換可能とすることによって各種の携帯電話機に対応することができ、小型化して携帯に便利な充電器を提供するものである。
【課題を解決するための手段】
【０００５】
発明者は携帯電話機用充電器の前記従来からの不便さを改良するため種々試作研究を重ねた結果本発明に到達したものであって、本発明は、コネクター部分を各種電話機のコネクターに対応してできるように差し換え交換が可能な構造とする外、差し込みに対しての抜け防止用の爪を設けること、及び充電回路接続用の端子を圧縮コイルバネを用いて接続すること、及びコネクター部の接合をＰＣＢ（プリント配線基板）の端面とすることによって附属部品の数を少なくしてコストダウンを計ること、さらにはコネクター部分を回転収納する型式、あるいは保護蓋をヒンジ構造とすることによって消費電源の無駄をなくすことに成功したものである。
【発明の効果】
【０００６】
上述のように本発明の携帯電話機用充電器は、各機種の電話機のコネクターに対応して使用可能であるためコネクターの数を揃える必要がなく、しかも小型化されているため携帯に便利であると共に、充電電気のロスを少なくする構造のため節電型であって従来の充電器に比較して卓越した使用上の効果を奏する。
【発明を実施するための最良の形態】
【０００７】
本発明の充電器は、電極の接触をＰＣＢ端面としているためコネクター部接点の構造が簡略化され各種のコネクターに対応できるため互換性があり、携帯用として便利に利用できる。添付図面の図１〜図３は請求項１に係る型式の充電器であり、図４、図５は請求項２に係る型式の蓋付きの充電器を示している。
【実施例】
【０００８】
先ず請求項１に対しての実施例を図１乃至図３について説明する。この請求項１に記載された実施例は、着脱コネクターＢが充電器Ａの先端部に回転可能に装着される型式の充電器であって、充電器Ａを必要とするときはコネクターＢを図１あるいは図２に図示するように充電器Ａの先端にコネクターＢが突出する形式となり、充電の不要なときは、コネクターＢは反転して充電器Ａの内部に収納されることによって図２を参照して、全体としてスマートな形で納まり携帯用として便利となる。
【０００９】
図１によりコネクターＢの収納構成を説明すると、充電器Ａの先端部にコネクターＢを収納する凹部（１）を形成する。この収納凹部（１）の側面内部にボールプランジャ（２）を設け、このボールプランジャ（２）によってコネクターＢを支承する。このボールプランジャ（２）を中心としてコネクターＢは矢印のように反転して収納される。
【００１０】
ボールプランジャ（２）は充電器ＡのコネクターＢ収納部（１）内に対向して２個設けられていて、コイルバネ（３）によって支承され、このバネ（３）は充電回路と接続されている。
【００１１】
このようにボールプランジャー（２）はコネクターＢのＰＣＢ端面に接触しているため充電回路との接触と、コネクターＢの回転収納と、さらにはコネクターＢの位置を保持するという３役を受持つ構成となっている。
【００１２】
そしてコネクター収納凹部（１）は図３に示すように山形に形成されたガイド溝（４）が設けられていてコネクターＢにはこの溝（４）に係合する爪（５）が設けてあり、図１で示すように係合して保持されている。コネクターＢは溝（４）には上方に向けてのみ切れ目があり、したがってコネクターＢは矢印のように上方から着脱する。
【００１３】
収納凹部（１）の最奥には検出スイッチ（６）が設けてあり、充電回路のＯＮ，ＯＦＦ機能があり、図２に仮想線で示しているようにコネクターＢを反転して収納されている。即ちコネクターＢの収納されているときは図示されているようにコネクターＢの先端がスイッチ（６）を押していて充電回路は遮断されてＯＦＦの状態となるため節電の効果を奏している。
【００１４】
図４および図５により請求項２に対しての実施例を説明する。この実施例に示されている充電器Ａは蓋（１０）付きの充電器Ａであって、コネクターＢは矢印ａのように着脱可能に構成されている。
【００１５】
蓋（１０）はヒンジ構造の軸（１２）によって取付けられ、このヒンジ軸には突起であるクリック（１３）が設けてあって、図４に示すように蓋（１０）が半開きの状態のときは、軸（１２）に設けてあるクリック（１３）がロック機構の押当て板（１４）を押圧することなく、又蓋（１０）を図５に示すように全開の状態にしたときは、クリック（１３）が押当て板（１４）を押圧してロックが完成して充電回路が形成されて充電が行われる。
【００１６】
以下このロック機構について図を参照して詳記する。
このロック機構は、押当て板（１４）とこれを支持する支持軸（１５）と、この軸に掛止っているネジリバネ（１６）とよりなり、ネジリバネ（１６）は押当て板（１４）を支持していて、押当て板（１４）の一端は検出スイッチ（６）に接している。
一方は、先端に三角状の突起（１８）を有する接続端子（１７）を押圧して接している構成とする。
【００１７】
したがって図示していないが携帯電話機をコネクターＢに接続して充電中の場合には、蓋（１０）を図５に図示されているように全開したときには蓋（１０）のヒンジ装置のクリック（１３）が押当て板（１４）を押圧して接続端子（１７）を押圧してコネクターＢに接触して回路が構成されて充電が行われる。
またこの作用は逆に蓋（１０）が閉じかければクリック（１３）が外れて接続端子（１７）の接触が解けて充電がＯＦＦとなる。さらに接続端子（１７）の先端を三角状の突部（１８）に形成しているためコネクターＢの凹部（１９）に係合して位置決めと保持が確実となる。
【産業上の利用可能性】
【００１８】
上述のように本発明の携帯電話機の充電器は各機種のコネクターに対応できるため携帯に便利で、行動範囲の広い現代人に特に利用価値があり、広く使用されるものと思う。
【図面の簡単な説明】
【００１９】
【図１】請求項１の充電器の要部平面図
【図２】図１の反転作動図
【図３】図１の反転構造図
【図４】請求項２の充電器の要部構成図
【図５】図４のスイッチ部分の作動図
【符号の説明】
【００２０】
１  コネクター収納凹部
２  ボールプランジャ
３  コイルバネ
４  誘導溝
５  爪
６  検出スイッチ
１０  蓋
１２  蓋の軸
１３  クリック
１４  押当て板
１５  支持軸
１６  ネジリバネ
１７  接続端子
１８  三角状突起
１９  嵌合凹部
Ａ  充電器
Ｂ  コネクター
【図１】
2007330041.tif 000003
【図２】
2007330041.tif 000004
【図３】
2007330041.tif 000005
【図４】
2007330041.tif 000006
【図５】
2007330041.tif 000007